(57)【要約】【課題】  携帯用の電子機器に装備される電池ホルダにおいて、乾電池の着脱操作性の低下を招くことなく、収納された電池の位置ずれに起因した電気的接触不良の発生を有効に防止して、電池の保持安定性を高めた電池ホルダ、及びそれを備えた電子機器を提供する。【解決手段】  電子機器の外面２に設けた開口４内に形成された筒状乾電池３０を収納するための空所３と、開口を開閉する蓋体２０と、空所内に対向配置されたバネ材から成り且つ電池の軸方向両端の正・負電極に夫々圧接して導通する正端子５及び負端子６と、空所内において電池を所定位置に支持する電池支持機構１０と、を有した電池ホルダ１において、電池支持機構は、電池の軸方向両端角部に接してこれを支持すると共に電池の軸方向と交差する方向へ進退自在に支持された位置決め部材１１と、位置決め部材を一方向へ弾性付勢する弾性部材１９と、弾性部材により付勢された位置決め部材との間で電池を挟圧保持する対向部材２０と、を備えている。【選択図】    図１
2006156125.tif 000002
【特許請求の範囲】
【請求項１】
電子機器の外面に設けた開口内に形成された筒状乾電池を収納するための空所と、該開口を開閉する蓋体と、該空所内に対向配置されたバネ材から成り且つ前記電池の軸方向両端の正・負電極に夫々圧接して導通する正端子及び負端子と、該空所内において該電池を所定位置に支持する電池支持機構と、を有した電池ホルダにおいて、
前記電池支持機構は、前記電池の軸方向両端角部に接してこれを支持すると共に前記電池の軸方向と交差する方向へ進退自在に支持された位置決め部材と、該位置決め部材を一方向へ弾性付勢する弾性部材と、該弾性部材により付勢された該位置決め部材との間で該電池を挟圧保持する対向部材と、を備えたことを特徴とする電池ホルダ。
【請求項２】
前記位置決め部材は、２つの支持片を備え、該各支持片によって前記電池の軸方向両端角部を支持することを特徴とする請求項１に記載の電池ホルダ。
【請求項３】
前記位置決め部材は、少なくとも一つのガイドピンを備え、前記空所内壁、或いは前記蓋体には該ガイドピンをスライド自在に支持するガイド穴を備えたことを特徴とする請求項１、又は２に記載の電池ホルダ。
【請求項４】
前記位置決め部材にはガイドリブを設け、前記空所内壁には該ガイドリブをガイドして該位置決め部材の直進移動をガイドするガイド溝が設けられていることを特徴とする請求項１、２、又は３に記載の電池ホルダ。
【請求項５】
前記位置決め部材を前記空所内壁によって進退自在に支持すると共に、前記対向部材を前記蓋体側に設けたことを特徴とする請求項１、２、３、又は４に記載の電池ホルダ。
【請求項６】
前記位置決め部材を前記蓋体によって進退自在に支持すると共に、前記対向部材を前記空所内壁側に設けたことを特徴とする請求項１、２、３、又は４に記載の電池ホルダ。
【請求項７】
前記対向部材は、前記蓋体と対向する空所内壁に配置され、該対向部材には２つの支持片を備え、該各支持片によって前記電池の軸方向両端角部を支持することを特徴とする請求項６に記載の電池ホルダ。
【請求項８】
請求項１乃至７の何れか一項に記載の電池ホルダを備えたことを特徴とする電子機器。
【発明の詳細な説明】
【技術分野】
【０００１】
本発明は電子機器、特に携帯用の電子機器に装備される電池ホルダの改良に関し、乾電池の着脱操作性と、収納された電池の保持安定性に優れた電池ホルダ、及びそれを備えた電子機器に関する。
【背景技術】
【０００２】
ノートパソコン、カメラ、ビデオカメラ、携帯用ＡＶ機器、携帯用ゲーム機等の携帯用電子機器のように電源として乾電池を使用する電子機器にあっては、携帯に際して頻繁に振動や衝撃が加わるため、電池収納部内に収納した電池側の電極と機器側の端子部材との電気的接触状態を安定化させておく必要がある。即ち、振動、衝撃によって電池が位置ずれを起こすなどして、電池側電極と端子部材との接触状態が不安定になると、電気的な接触不良を生じて機器が正常に動作しなくなるため、常に安定した接触状態を維持させるための電池支持機構が必要とされる。
例えば、実開平０５−０１５３１７号には、円筒状の乾電池の軸方向両端部に夫々設けた正・負電極を電池収納部内壁に対向配置したコイルスプリング状の端子部材によって弾性的に支持する一方、該電池の外周の一部を板バネ状のリテイナースプリングによって収納部内に向けて押さえ付けることにより、外部から振動や衝撃が加わった際に電池が長手方向に揺動することを防止して各電極と各端子部材間の接合関係を安定化させる技術が開示されている。また、スポンジ材等の固定ブロックにより電池外面を収納部内へ向けて押さえ込むことにより、電池が長手方向に揺動することを防止して電気的接触不良の発生を防止する技術も開示されている。この収納部は、電池の縦横寸法に見合ったサイズの開口を有しており、この開口内に電池の側面側から装着するタイプである。しかし、電池外面を板バネで押さえ付けているだけであるため、電池を押さえ込む効果に限界があった。即ち、この従来技術では、弾性体を電池外面に圧接させることにより揺動を防いでいるため、電池の長手方向への揺動を押さえる為にはかなり強い力で押さえつける必要が出てくる。スポンジ材による押さえ力の強化には限界がある一方で、板バネの押さえ力を強化すると同公報にも記述されているように電池が変形して種々のトラブルの原因となることがある。又、電池をセットするに際して板バネ等の強い弾発力に抗する強い力で圧入する必要があり、電池装着時の操作性が著しく低下する。
次に、特開平１０−０２０３７９号には、カメラ本体に設けた電池室収納部内に電池室ユニットを装着し、この電池室ユニットに設けた電池収容部内に電池を収容したときに、電池の端子が電池室収容部内底部に設けた接続用接触子と接続されるようにした構成が開示されている。しかしこの従来例にあっては、電池収容部内に電池を装着した状態でカメラ本体を携帯して使用した時の振動、衝撃により接点がずれを起こして接触不良となる不具合と、その解決手段については一切考慮されていない。
【特許文献１】実開平０５−０１５３１７号公報
【特許文献２】特開平１０−０２０３７９号公報
【発明の開示】
【発明が解決しようとする課題】
【０００３】
本発明は上記に鑑みてなされたものであり、携帯用の電子機器に装備される電池ホルダにおいて、乾電池の着脱操作性の低下を招くことなく、収納された電池の位置ずれに起因した電気的接触不良の発生を有効に防止して、電池の保持安定性を高めた電池ホルダ、及びそれを備えた電子機器を提供することを目的としている。
【課題を解決するための手段】
【０００４】
上記目的を達成するため、請求項１の発明は、電子機器の外面に設けた開口内に形成された筒状乾電池を収納するための空所と、該開口を開閉する蓋体と、該空所内に対向配置されたバネ材から成り且つ前記電池の軸方向両端の正・負電極に夫々圧接して導通する正端子及び負端子と、該空所内において該電池を所定位置に支持する電池支持機構と、を有した電池ホルダにおいて、前記電池支持機構は、前記電池の軸方向両端角部に接してこれを支持すると共に前記電池の軸方向と交差する方向へ進退自在に支持された位置決め部材と、該位置決め部材を一方向へ弾性付勢する弾性部材と、該弾性部材により付勢された該位置決め部材との間で該電池を挟圧保持する対向部材と、を備えたことを特徴とする。
請求項２の発明は、請求項１において、前記位置決め部材は、ハ字状に傾斜した形状、その他の任意の形状を有した２つの支持片を備え、該各支持片によって前記電池の軸方向両端角部を支持することを特徴とする。
請求項３の発明は、請求項１、又は２において、前記位置決め部材は、少なくとも一つのガイドピンを備え、前記空所内壁、或いは前記蓋体には該ガイドピンをスライド自在に支持するガイド穴を備えたことを特徴とする。
請求項４の発明は、請求項１、２、又は３において、前記位置決め部材にはガイドリブを設け、前記空所内壁には該ガイドリブをガイドして該位置決め部材の直進移動をガイドするガイド溝が設けられていることを特徴とする。
請求項５の発明は、請求項１、２、３又は４において、前記位置決め部材を前記空所内壁によって進退自在に支持すると共に、前記対向部材を前記蓋体側に設けたことを特徴とする。
請求項６の発明は、請求項１、２、３、又は４において、前記位置決め部材を前記蓋体によって進退自在に支持すると共に、前記対向部材を前記空所内壁側に設けたことを特徴とする。
請求項７の発明は、請求項６において、前記対向部材は、前記蓋体と対向する空所内壁に配置され、該対向部材にはハ字状に傾斜した形状、その他の任意の形状を有した２つの支持片を備え、該各支持片によって前記電池の軸方向両端角部を支持することを特徴とする。
請求項８の発明は、請求項１乃至７の何れか一項に記載の電池ホルダを備えたことを特徴とする。
【発明の効果】
【０００５】
本発明によれば、位置決め部材を安定して平行、且つ直線移動可能にすることができるので、平行移動することにより、位置決め部材上で電池がおどってしまい、安定して固定できなくなるという不具合を解消できる。
また、位置決め部材を構成する支持片により電池の両端角部を支持しつつ、電池の反対側側面を対向部材により支持するので、位置決め部材を対向部材へ向けて付勢する弾性部材の押圧力を非常に小さくすることが可能になり、非常に操作性が良くて、しかも電池からの電源供給が接点の接触不良によって阻害されることがない。
また、位置決め部材を空所の内壁側に配置する為に全体構成をコンパクトにすることが可能になり、小型化が可能になる。
また、弾性部材を電池蓋側に配置することにより、空所内に電池をセットする時に操作者には反発力が無く、非常に操作性が良いものとなる。
【発明を実施するための最良の形態】
【０００６】
以下、本発明を図面に示した実施の形態により詳細に説明する。
図１は本発明の一実施形態に係る電池ホルダの構成を示す断面図である。
この電池ホルダ１は、例えばノートパソコン、カメラ、ビデオカメラ、携帯用ＡＶ機器、携帯用ゲーム機等の携帯用電子機器のように電源として乾電池を使用する電子機器に装備される。この電池ホルダ１は、電子機器本体Ａの外装体（外面）２等に設けた凹所状の空所（収容部）３内に電池３０を収容し、この空所３を蓋体２０により開閉するように構成される。
即ち、電池ホルダ１は、電子機器Ａの外面２に設けた開口４内に形成された筒状乾電池３０を収納するための空所３と、開口４を開閉する蓋体２０と、空所３の２つの内壁に対向配置されたバネ材から成り且つ電池３０の軸方向両端に夫々位置する正・負電極３１、３２に夫々圧接して導通する正端子５及び負端子６と、空所３内において電池３０を所定位置に支持する電池支持機構１０と、を有している。
開口４は、電池３０をその側面（外周面）から空所３内に装着できるように寸法、形状が設定されており、空所３内に装着されたときに電池３０の両端の正・負電極３１、３２が夫々正端子５、及び負端子６と弾性的に圧接することで電気的なコンタクトを確保される。正端子５、及び負端子６は、この例では、外装体２の肉厚内部に配設されたリード部分５ａ、６ｂと、各リード部分５ａ、６ａから延びて空所の内壁から空所内に突出したコイル部分５ｂ、６ｂとから成る。
電池支持機構１０は、筒状の電池３０の軸方向両端角部３０ａに接してこれを支持すると共に電池３０の軸方向（長手方向）と交差する方向（図示の例では直交する方向）Ｂへ進退自在に支持された位置決め部材１１と、上記方向Ｂへ進退自在に支持された位置決め部材１１を一方向（蓋体方向）へ弾性付勢する弾性部材１９と、弾性部材１９により付勢された位置決め部材１１との間で電池３０を挟圧保持する対向部材としての蓋体２０と、を備えている。
【０００７】
位置決め部材１１は、開口４から空所３内に装着されてきた電池３０を受ける受け台１２と、受け台１２の底部から突出した一本、又は複数本のガイドピン１３とを備えている。ガイドピン１３は、空所３の底壁に設けたガイド穴１４内に嵌合して進退方向Ｂへ直進するようにガイドされている。
位置決め部材１１を構成する受け台１２は、受け台本体１２ａの両端（電池の軸方向両端）に上向き、即ち対向部材としての蓋体２０へ向けて斜めに傾斜した（逆ハ字状に傾斜した）２つの支持片１２ｂを備え、各支持片１２ｂによって電池３０の軸方向両端角部３０ａを支持している。
なお、各支持片１２ｂは本体１２ａの両端部から突出した突起であってもよいし、本体１２ａに対して直交していてもよい。或いは、湾曲していてもよい。つまり、本体１２ａに対する各支持片１２ｂの角度、形状は図示のものに限定されず、各支持片１２ｂは電池３０の両端角部を支持して、電池をその軸方向へ位置決めし得る構成であればよい。
この実施形態によれば、平行、直線移動の為に空所３内に移動のためのスペースが必要とされる受け台１２とガイドピン１３、ガイドリブ２５などを空所３内に配置し、更にガイドピン１３、ガイドリブ２５の可動スペースを空所内壁（底面３ａ）の肉厚を利用して設置することで、全体的なスペース効率を上げて、電池ホルダ１をコンパクトな構成にできる。
この実施形態では、要するに、位置決め部材１１は、少なくとも一つのガイドピン１３を備え、空所３内壁にガイドピン１３をスライド自在に支持するガイド穴１４を備えた構成が特徴的である。
【０００８】
次に、図２は本発明の電池ホルダの変形実施形態を示す斜視図断面図であり、この実施形態に係る電池ホルダ１は、位置決め部材１１の受け台１２の底部から一体的に突出した板状のガイドリブ２５と、受け台１２の直進移動（平行移動）をガイドするためにガイドリブ２５を上下方向へ直進移動自在に支持する細長いガイド溝（ガイド穴）２５ａを備え、ガイド溝２５ａは空所３の底面に設けられている。弾性部材１９は位置決め部材１１を蓋体２０の内面に向けて付勢する。
この構成によれば、更に安定して受け台１２の平行、直進移動を実現できる。
なお、上記実施形態では、位置決め部材１１を空所内壁（底面）に設けたガイド穴１４、或いはガイド溝（ガイド穴）２５ａよって進退自在に支持すると共に、対向部材を蓋体２０側に設けたが、図３に示す他の実施形態では、位置決め部材１１（受け台１２）を蓋体２０によって上下方向へ進退自在に支持すると共に、対向部材を空所内壁（底面）４ａ側に設けている。
即ち、この電池ホルダ１の位置決め部材１１においては、空所３の底面３ａを対向部材として電池３０の側面の下面側を直接支持する一方で、電池側面の上面側角部３０ａ、３０ａを夫々受け台１２を構成する受け台本体１２ａの両端に位置する支持片１２ｂによって支持している。つまり、空所の底面３ａと位置決め部材１１との間で電池を挟圧保持している。支持片１２ｂの構成は、上記実施形態において述べたものがそのまま当てはまる。また、この受け台１２は、蓋体２０の内面に一端を支持された弾性部材によって下方（電池側）へ付勢されており、受け台１２と空所底面３ａとの間で電池を適度な力で強固に挟圧して支持することができる。図２の実施形態に比べて位置決め部材１１の構成をより簡潔化することができる。また、電池３０の取り出し時に開閉する電池蓋としての蓋体２０に位置決め部材１１を設けることにより、位置決め部材１１として特別に部品追加することなく機能することができる。
また、この実施形態は、対向部材を空所３の底面３ａ側に配置している。そのことにより、平行移動する受け台１２が蓋体２０側にあるために電池３０を操作者がセットする時に電池が弾性部材１９により浮き上がった状態にはならず、電池ホルダ１内の対向部材である底面３ａにより位置が一定に定まり操作性が向上する。
【０００９】
次に、図４は本発明の他の実施形態の構成を示す断面図であり、この実施形態では、対向部材は、空所３の底面３ａ側に配置した受け部材２６であり、受け部材２６を構成する受け部材本体２６ａの両端部に設けた支持片２６ｂによって電池３０の軸方向両端角部３０ａを支持する。支持片２６ｂの構成、機能は、上記実施形態の支持片１２ｂと同等である。
この電池支持機構１０は、位置決め部材１１を構成する受け台（押し板）１２と、この受け台１２を電池３０の側面に押圧することにより電池３０を受け部材２６に圧接する弾性部材１９と、受け部材２６と、を備えている。
この実施形態は、対向部材としての受け部材２６を空所３の底面３ａ側に配置している。そのことにより、平行移動する受け台１２が蓋体２０側にあるために電池３０を操作者がセットする時に電池が弾性部材１９により浮き上がった状態にはならず、電池ホルダ１内の対向部材である受け部材２６により位置が一定に定まり操作性が向上する。
このように本発明の各実施形態によれば、位置決め部材を安定して平行、且つ直線移動可能にすることができるので、平行移動することにより、位置決め部材上で電池がおどってしまい、安定して固定できなくなるという不具合を解消できる。
また、各実施形態では、位置決め部材を構成する支持片により電池の両端角部を支持しつつ、電池の反対側側面を対向部材により支持するので、位置決め部材を対向部材へ向けて付勢する弾性部材の押圧力を非常に小さくすることが可能になり、非常に操作性が良くて、しかも電池からの電源供給が接点の接触不良によって阻害されることがない。
また、図１、図２の実施形態では、位置決め部材を空所の内壁側に配置する為に全体構成をコンパクトにすることが可能になり、小型化が可能になる。
また、図３、図４の実施形態では、位置決め部材とこれを電池に向けて付勢する弾性部材を電池蓋側に配置するとともに、空所底面３ａ自体、或いは空所底面に配置した受け部材２６を対向部材として、位置決め部材との間で電池を挟圧保持することにより、空所内に電池をセットする時に操作者には反発力が無く、非常に操作性が良いものとなる。
なお、上記各実施形態に示した電池ホルダ１は、例えばノートパソコン、カメラ、ビデオカメラ、携帯用ＡＶ機器、携帯用ゲーム機等の携帯用電子機器のように電源として円筒、その他の筒状の乾電池を使用する電子機器に適用することができる。
【図面の簡単な説明】
【００１０】
【図１】本発明の一実施形態に係る電池ホルダの構成を示す断面図。
【図２】図１の実施形態の変形例の構成を示す斜視断面図。
【図３】本発明の他の実施形態の構成を示す縦断面図。
【図４】図３の変形実施形態の構成を示す縦断面図。
【符号の説明】
【００１１】
Ａ  電子機器本体、１  電池ホルダ、２  外装体（外面）、３  空所、３ａ  底面、４  開口、５  正端子、６  負端子、１０  電池支持機構、１１  位置決め部材、１２  受け台、１２ａ  受け台本体、１２ｂ  支持片、１３  ガイドピン、１４  ガイド穴、１９  弾性部材、２０  蓋体、２５  ガイドリブ、２６  受け部材、２６ｂ  支持片、３０  電池、３０ａ  軸方向両端角部、３１、３２  電池の端子
【図１】
2006156125.tif 000003
【図２】
2006156125.tif 000004
【図３】
2006156125.tif 000005
【図４】
2006156125.tif 000006